(57)【要約】【課題】ベアリングを固定し、防塵及びコストを下げる效果を達成するファンモータのシリコンスチール構造及びファンモータを提供する。【解決手段】ファンモータのシリコンスチール構造及びファンモータに於いて、該シリコンスチール片構造は、複数シリコンスチール片を重畳したシリコンスチールユニットを含む。そのうち、少なくとも一シリコンスチール片は第一開孔及び少なくとも一凸出部を備え、該凸出部は、第一開孔内側周辺縁から内向きに伸びて構成し、少なくとも一シリコンスチール片はその残りの複数シリコンスチール片的一側上に重畳し、且つその残りの複数シリコンスチール片は第一開孔に連通する第二開孔を備える。【選択図】図２
0003176795.tif 000002
【実用新案登録請求の範囲】
【請求項１】
シリコンスチールユニットを含み、該シリコンスチールユニットは重畳の複数シリコンスチール片を備えるファンモータのシリコンスチール構造において、
そのうち少なくとも一シリコンスチール片は、相対するその残りの該複数シリコンスチール片の一側上に重畳し、且つそれは第一開孔及び少なくとも一凸出部を備え、該第一開孔は該少なくとも一シリコンスチール片の中央箇所に穿設し、該凸出部は該第一開孔内側周辺縁から内向きに突出して伸びて構成し、更にその残りの該複数シリコンスチール片は第二開孔を備え、該第二開孔はその残りの該複数シリコンスチール片の中央箇所に穿設し、且つ相対する第一開孔に連通することを特徴とするファンモータのシリコンスチール構造。
【請求項２】
前記複数のシリコンスチール片は複数の磁極を備え、該複数の磁極は該複数のシリコンスチール片外周側に沿って外向きに伸びて構成することを特徴とする請求項１記載のファンモータのシリコンスチール構造。
【請求項３】
前記複数の凸出部は、第一凸出部、第二凸出部、第三凸出部及び第四凸出部を設置し、前述第一、三凸出部は、それぞれ該第一開孔の相対する内側から第一開孔の中心箇所へ向かって伸びて構成し、該第二、四凸出部はそれぞれ該第一開孔の別の相対する内側から第一開孔の中心箇所向きに伸びて構成することを特徴とする請求項１記載のファンモータのシリコンスチール構造。
【請求項４】
前記第二凸出部両側は、それぞれ隣接する第一、三凸出部との間に第一空間及び第二空間を形成し、該第四凸出部の両側はそれぞれ隣接する第一、三凸出部との間に第三空間及び第四空間を形成し、該第一、二、三、四空間は前述第一開孔及び第二開孔に連通することを特徴とする請求項３記載のファンモータのシリコンスチール構造。
【請求項５】
前記第一、二、三、四凸出部の自由端は円弧辺を凹設し、該第一、二、三、四自由端の円弧辺は各相対する該第一開孔内側の経方向に凹設して構成することを特徴とする請求項３記載のファンモータのシリコンスチール構造。
【請求項６】
ファンモータにおいて、
スリーブを備え、該スリーブは該基台から軸向に伸びて構成し、且つその内部には軸孔が形成され、該軸孔内にベアリングを納置する基台と、
軸心を備え、該軸心は相対するベアリング及び軸孔を挿設し、該スリーブ内で枢設する回転子と、
該スリーブ外側上に嵌合し、それはシリコンスチールユニット及び該シリコンスチールユニット上に巻着するコイルユニットを含み、該シリコンスチールユニットは複数シリコンスチール片を備え、そのうち少なくとも一シリコンスチール片は相對する残りの該複数シリコンスチール片の一側上に重畳し、且つそれは該軸孔に連通する第一開孔及び少なくとも一凸出部を備え、該第一開孔は該少なくとも一シリコンスチール片の中央箇所に穿設し、凸出部は該第一開孔内側周辺縁から内向きに伸びて構成し、且つその一側は相対する該スリーブ及びベアリング上で押さえ、更にその残りの該複数シリコンスチール片は第二開孔を備え、該第二開孔はその残りの該複数シリコンスチール片の中央箇所に穿設し、且つ相対する第一開孔に連通する固定子を含むことを特徴とするファンモータ。
【請求項７】
前記複数のシリコンスチール片は複数の磁極を備え、該複数の磁極は、複数のシリコンスチール片外周側にそって外向きに伸びて構成することを特徴とする請求項６記載のファンモータ
【請求項８】
前記複数の凸出部は、第一凸出部、第二凸出部、第三凸出部及び第四凸出部を設置し、前述第一、三凸出部はそれぞれ該第一開孔の内側から第一開孔の中心箇所向きに突出して伸び，該第二、四凸出部はそれぞれ該第一開孔の別の相対する内側から第一開孔の中心箇所向きに突出して伸びることを特徴とする請求項６記載のファンモータ
【請求項９】
前記第二凸出部両側は、それぞれ隣接する第一、三凸出部との間に第一空間及び一第二空間を形成し、該第四凸出部両側はそれぞれ隣接する第三、一凸出部との間に第三空間及び第四空間を形成し、該第一、二、三、四空間は前述第一開孔及び第二開孔に連通することを特徴とする請求項８記載のファンモータ。
【請求項１０】
前記第一、二、三、四凸出部の自由端は、円弧辺を凹設し、該第一、二、三、四凸出部の円弧辺は各々相対する該第一開孔内側の径方向に凹設して構成することを特徴とする請求項８記載のファンモータ。
【請求項１１】
前記ファンモータは、ファン上に応用し、該ファンは前述固定子、回転子及びフレーム体を含み、該フレーム体は納置空間を備え、該基台は該納置空間の中央箇所に設置し、更に該回転子は該納置空間内に納置し、対応する固定子に被せることを特徴とする請求項６記載のファンモータ。
【請求項１２】
前記スリーブ相對該凸出部の一側は、設置部を凹設し、該設置部内に掛合リングを納置し、該掛合リングは相対する該軸心上に備えたリング槽に嵌合し、且つ該凸出部とベアリングの間に位置することを特徴とする請求項１１記載のファンモータ。
【考案の詳細な説明】
【技術分野】
【０００１】
本考案は、シリコンスチール構造及びファンモータに関するもので、特にベアリングを固定し、防塵の効果を備える他に、更にコストを下げる効果を備えるファンモータのシリコンスチール構造及びファンモータに係わる。
【背景技術】
【０００２】
電子製品の機能及び動作速度が上昇するに従い、それらに拠って発生する熱量も増加する。電子製品の正常な動作を維持するため、常にファンによって放熱し、ファンから発生した気流によって強制的に放熱し、電子製品の正常な動作温度を維持する。
【０００３】
図１、２に示すのは、公知のファン１で、それはフレーム体１０、回転子１１及び固定子１２を含む。そのうち、該フレーム体１０は納置空間１０１を備え、該納置空間１０１の中央箇所には基台１３を固定し、該基台１３上には回転子１１と相対して相互に枢設するスリーブ１３１が軸向きに凸設され、該スリーブ１３１内には軸孔１３１１及び凹槽１３１３を備え、該軸孔１３１１及びその内部に納置するベアリング１５は該回転子１１の一軸心１１１と相互に差し込んで設置する。
【０００４】
また、該凹槽１３１３は、該スリーブ１３１の該回転子１１を相対させる一側上に凹設し、掛合リング１６及び一固定部品１７を納置するのに用いる。該掛合リング１６は、該軸心１１１上に備えたリング槽１１１１に嵌合し、前述固定部品１７は掛合リング１６一側上に相対して設置し、該掛合リング１６を押さえて該ベアリング１５を固定する効果を達成する。
【０００５】
公知のファン１は、固定部品１７が掛合リング１６上で押さえることで、間接的にベアリング１５を固定する効果を達成する。但し、別の問題が発生し、公知のファン１は製造時に固定部品１７を増やしてベアリング１５を固定しなければならず、且つ製造過程に於いて固定部品１７を確実に掛合リング１６上で固定する作業時間が必要になるため、コストが全体的に上がり、工数も増える。
【先行技術文献】
【特許文献】
【０００６】
【特許文献１】特開２００９−３０８６４号公報
【考案の概要】
【考案が解決しようとする課題】
【０００７】
解決しようとする問題点は、コストが上がり、工数がかかり、組立ステップが煩雑になるという点である。
【０００８】
そのため、上述の公知の問題及び欠点を改善するため、本考案者は当業界の関連工場と研究改善に努めた。
【課題を解決するための手段】
【０００９】
本考案は、該シリコンスチール片構造は、複数シリコンスチール片を重畳したシリコンスチールユニットを含む。そのうち、少なくとも一シリコンスチール片は第一開孔及び少なくとも一凸出部を備え、該凸出部は、第一開孔内側周辺縁から内向きに伸びて構成し、少なくとも一シリコンスチール片はその残りの複数シリコンスチール片的一側上に重畳し、且つその残りの複数シリコンスチール片は第一開孔に連通する第二開孔を備えることを最も主要な特徴とする。
本考案は下記の特徴を有する。
（１）シリコンスチールユニットを含み、該シリコンスチールユニットは重畳の複数シリコンスチール片を備えるファンモータのシリコンスチール構造において、
そのうち少なくとも一シリコンスチール片は、相対するその残りの該複数シリコンスチール片の一側上に重畳し、且つそれは第一開孔及び少なくとも一凸出部を備え、該第一開孔は該少なくとも一シリコンスチール片の中央箇所に穿設し、該凸出部は該第一開孔内側周辺縁から内向きに突出して伸びて構成し、更にその残りの該複数シリコンスチール片は第二開孔を備え、該第二開孔はその残りの該複数シリコンスチール片の中央箇所に穿設し、且つ相対する第一開孔に連通することを特徴とするファンモータのシリコンスチール構造。
（２）前記複数のシリコンスチール片は複数の磁極を備え、該複数の磁極は該複数のシリコンスチール片外周側に沿って外向きに伸びて構成することを特徴とする（１）記載のファンモータのシリコンスチール構造。
（３）前記複数の凸出部は、第一凸出部、第二凸出部、第三凸出部及び第四凸出部を設置し、前述第一、三凸出部は、それぞれ該第一開孔の相対する内側から第一開孔の中心箇所へ向かって伸びて構成し、該第二、四凸出部はそれぞれ該第一開孔の別の相対する内側から第一開孔の中心箇所向きに伸びて構成することを特徴とする（１）記載のファンモータのシリコンスチール構造。
（４）前記第二凸出部両側は、それぞれ隣接する第一、三凸出部との間に第一空間及び第二空間を形成し、該第四凸出部の両側はそれぞれ隣接する第一、三凸出部との間に第三空間及び第四空間を形成し、該第一、二、三、四空間は前述第一開孔及び第二開孔に連通することを特徴とする（３）記載のファンモータのシリコンスチール構造。
（５）前記第一、二、三、四凸出部の自由端は円弧辺を凹設し、該第一、二、三、四自由端の円弧辺は各相対する該第一開孔内側の経方向に凹設して構成することを特徴とする（３）記載のファンモータのシリコンスチール構造。
（６）ファンモータにおいて、
スリーブを備え、該スリーブは該基台から軸向に伸びて構成し、且つその内部には軸孔が形成され、該軸孔内にベアリングを納置する基台と、
軸心を備え、該軸心は相対するベアリング及び軸孔を挿設し、該スリーブ内で枢設する回転子と、
該スリーブ外側上に嵌合し、それはシリコンスチールユニット及び該シリコンスチールユニット上に巻着するコイルユニットを含み、該シリコンスチールユニットは複数シリコンスチール片を備え、そのうち少なくとも一シリコンスチール片は相對する残りの該複数シリコンスチール片の一側上に重畳し、且つそれは該軸孔に連通する第一開孔及び少なくとも一凸出部を備え、該第一開孔は該少なくとも一シリコンスチール片の中央箇所に穿設し、凸出部は該第一開孔内側周辺縁から内向きに伸びて構成し、且つその一側は相対する該スリーブ及びベアリング上で押さえ、更にその残りの該複数シリコンスチール片は第二開孔を備え、該第二開孔はその残りの該複数シリコンスチール片の中央箇所に穿設し、且つ相対する第一開孔に連通する固定子を含むことを特徴とするファンモータ。
（７）前記複数のシリコンスチール片は複数の磁極を備え、該複数の磁極は、複数のシリコンスチール片外周側にそって外向きに伸びて構成することを特徴とする（６）記載のファンモータ
（８）前記複数の凸出部は、第一凸出部、第二凸出部、第三凸出部及び第四凸出部を設置し、前述第一、三凸出部はそれぞれ該第一開孔の内側から第一開孔の中心箇所向きに突出して伸び，該第二、四凸出部はそれぞれ該第一開孔の別の相対する内側から第一開孔の中心箇所向きに突出して伸びることを特徴とする（６）記載のファンモータ
（９）前記第二凸出部両側は、それぞれ隣接する第一、三凸出部との間に第一空間及び一第二空間を形成し、該第四凸出部両側はそれぞれ隣接する第三、一凸出部との間に第三空間及び第四空間を形成し、該第一、二、三、四空間は前述第一開孔及び第二開孔に連通することを特徴とする（８）記載のファンモータ。
（１０）前記第一、二、三、四凸出部の自由端は、円弧辺を凹設し、該第一、二、三、四凸出部の円弧辺は各々相対する該第一開孔内側の径方向に凹設して構成することを特徴とする（８）記載のファンモータ。
（１１）前記ファンモータは、ファン上に応用し、該ファンは前述固定子、回転子及びフレーム体を含み、該フレーム体は納置空間を備え、該基台は該納置空間の中央箇所に設置し、更に該回転子は該納置空間内に納置し、対応する固定子に被せることを特徴とする（６）記載のファンモータ。
（１２）  前記スリーブ相對該凸出部の一側は、設置部を凹設し、該設置部内に掛合リングを納置し、該掛合リングは相対する該軸心上に備えたリング槽に嵌合し、且つ該凸出部とベアリングの間に位置することを特徴とする（１１）記載のファンモータ。
【考案の効果】
【００１０】
本考案のファンモータのシリコンスチール構造及びファンモータは、少なくとも一シリコンスチール片の凸出部構造によってベアリングを相対して押さえてベアリングを固定し、防塵效果を達成し、更にコストを下げ、工数を減らすという利点がある。
【図面の簡単な説明】
【００１１】
【図１】公知の分解立体指示図である。
【図２】公知の断面指示図である。
【図３】本考案の第一実施例の分解立体指示図である。
【図４】本考案の第一実施例の組立立体指示図である。
【図５】本考案の第二実施例の組立立体指示図である。
【図６】本考案の第二実施例の分解立体指示図である。
【図７】本考案の第二実施例の断面指示図である。
【図８】本考案の第三実施例の分解立体指示図である。
【図９】本考案の第三実施例の断面指示図である。
【考案を実施するための形態】
【００１２】
上述の問題を有効に改善するため、ベアリングの固定及び防塵效果を達成するファンモータのシリコンスチール片構造を提供することを本考案の主な目的とする。
【００１３】
コストを下げ、工数を節約するファンモータのシリコンスチール片構造を提供することを本考案の次の目的とする。
【００１４】
ベアリングの固定及び防塵效果を達成するファンモータを提供することを本考案の次の目的とする。
【００１５】
コストを下げ、工数を節約するファンモータを提供することを本考案の次の目的とする。
【００１６】
上述の目的を達成するため、本考案は一種のファンモータのシリコンスチール片構造を提供し、それは重畳した複数シリコンスチール片を備えたシリコンスチールユニットを含む。そのうち、少なくとも一シリコンスチール片は第一開孔及び少なくとも一凸出部を備え、該第一開孔は該少なくとも一シリコンスチール片の中央箇所に穿設し、且つ該凸出部は該第一開孔内側周辺縁から内向きに突出して伸び、更に少なくとも一シリコンスチール片は相対するその残りの複数シリコンスチール片の一側上に重畳し、且つその残りの複数シリコンスチール片は第二開孔を備える。該第二開孔はその残りの複数シリコンスチール片の中央箇所に穿設し、相対する第一開孔に連通する。本考案の構造設計によってベアリングの固定及び防塵效果を達成し、更にコストを下げる效果を達成する。
【００１７】
本考案は、他に一種のファンモータを提供し、それは基台、回転子及び固定子を含む。該基台はスリーブを備え、該スリーブは該基台上から軸方向に伸びて構成し、且つその内部に軸孔を穿設し、該軸孔はベアリングを納置するのに用いる。また該回転子は軸心を備え、該軸心は相対するベアリング及び軸孔に挿設し、スリーブ内で枢設し、該固定子はスリーブ外側上で嵌合し、それはシリコンスチールユニット及び該シリコンスチールユニット上に巻着するコイルユニットを備える。そのうち少なくとも一シリコンスチール片は相対するその残りの該複数シリコンスチール片の一側上に重畳し、且つ第一開孔及び少なくとも一凸出部を備え、該第一開孔は該少なくとも一シリコンスチール片の中央箇所に穿設し、且つ該軸孔に連通し、該凸出部は前述の第一開孔内側周辺縁から内向きに伸びて構成し、且つその一側は相対する前述のスリーブとベアリング上で押さえ，またその残りの該複数のシリコンスチール片は第二開孔を備える。該第二開孔は係貫設形成在その残りの該複数シリコンスチール片の中央箇所で穿設し、且つ該第一開孔に連通する。前述のシリコンスチール片の凸出部がベアリング上で押圧して固定することによって、ベアリングを有効に固定して防塵効果を達成し、更にコストを下げ、工数を節約する効果も達成する。
【実施例１】
【００１８】
本考案の上述目的及びその構造と機能特性を、図式と共に良好な実施例を挙げて説明する。
【００１９】
本考案は、一種のファンモータのシリコンスチール構造及びファンモータであり、図３、４に示すのは、本考案の第一実施例の分解及び組立指示図である。該シリコンスチール片構造は、シリコンスチールユニット２４１を含み、該シリコンスチールユニット２４１は重畳した複数シリコンスチール片２４２を備える。該複数のシリコンスチール片２４２は複数の磁極２４６を備え、該複数の磁極２４６は、これらシリコンスチール片２４２外周側にそって外向きに伸びて構成する。
【００２０】
その他、そのうち少なくとも一シリコンスチール片２４２は、該複数のシリコンスチール片２４２の一側上に相対して重畳する。本実施の前述少なくとも一シリコンスチール片２４２は、１片のシリコンスチール片を残りの複数シリコンスチール片２４２一側上に重畳することで説明しているが、これに限らない。また、前述の少なくとも一シリコンスチール片２４２は第一開孔２４３及び少なくとも一凸出部２４４を備え、該第一開孔２４３は該少なくとも一シリコンスチール片２４２の中央箇所に穿設して成形する。該凸出部２４４は、該第一開孔２４３内側周辺縁から内向きに突出して構成し、該実施例の凸出部２４４は４個で説明する。それはつまり該複数の凸出部２４４は第一凸出部２４４１、第二凸出部２４４２、第三凸出部２４４３及び第四凸出部２４４４を設置するということであるが、これに制限されない。具体的に実施する時、使用者は先ず、固定効果の求めに応じて凸出部２４４が該第一開孔２４３内側で突出する数を求める。
【００２１】
更に、前述第一、三凸出部２４４１、２４４３は、それぞれ該第一開孔２４３の相対する内側から第一開孔２４３中心箇所向きに突出する。該第二、四凸出部２４４２、２４４４は、それぞれ該第一開孔２４３の別の内側から第一開孔２４３の中心箇所へ向かって突出して構成する。第一、二、三、四凸出部２４４１、２４４２、２４４３、２４４４の自由端(即ち該第一開孔２４３から遠い一端)は円弧辺２４１１a、２４４２a、２４４３a、２４４４aを凹設し、且つ該第一、二、三、四凸出部２４４１、２４４２、２４４３、２４４４の自由端の円弧辺２４１１a、２４４２a、２４４３a、２４４４aは各自該第一開孔２４３内側向きに径方向で凹設して構成する。
【００２２】
その他、該第一、二、三、四凸出部２４４１、２４４２、２４４３、２４４４は、該実施では等間隔に配列して設置しているが、それに制限されず、不等間隔で設置してもよい。
【００２３】
図３，４に示すとおり、前述第二凸出部２４４２両側には、それぞれ隣接する第一、三凸出部２４４１、２４４３との間に第一空間２４４５及び第二空間２４４６がある。該第一、二空間２４４５、２４４６は該第一開孔２４３に連通する。また該第四凸出部２４４４両側には、それぞれ隣接する第一、三凸出部２４４１、２４４３との間に第二空間２４４６に相対する第三空間２４４７及び第一空間２４４５に相対する第四空間２４４８があり、該第三、四空間２４４７、２４４８は該第一開孔２４３、第一空間２４４５及び第二空間２４４６共に連通する。
【００２４】
他に、その残りの該複数シリコンスチール片２４２は、凸出部２４４がないシリコンスチール片２４２で、且つ第二開孔２４５を備える。該第二開孔２４５はその残りの該複数シリコンスチール片２４２の中央箇所に穿設し、且つ相対する第一開孔２４３に連通する。
【００２５】
本考案の少なくとも一シリコンスチール片２４２内の第一開孔２４３内で突出した凸出部２４４の設計によって、ベアリング２１５の押圧固定及び防塵效果を達成し、有効にコストを下げる。
【実施例２】
【００２６】
図５、６に示すのは、本考案の第二実施例の組立及び分解立体指示図である。該本実施例は、主に前述第一実施例のシリコンスチール片構造をファンモータ２上で応用したもので、即ち該ファンモータ２は基台２１、回転子２３及び固定子２４を含む。そのうち該基台２１はスリーブ２１１を備え、該スリーブ２１１は該基台２１から軸向きに伸びて構成し、その内部には軸孔２１３を形成し、該軸孔２１３は内係にベアリング２１５を納置するのに用いる。
【００２７】
他に、前述回転子２３は、スリーブ２１１外側上に嵌合した固定子２４に相対して被せ、且つそれは軸心２３１を備える。該軸心２３１は相対するベアリング２１５及び軸孔２１３に挿入し、該スリーブ２１１内に枢設する。該固定子２４はシリコンスチールユニット２４１及び該シリコンスチールユニット２４１上に巻着するコイルユニット２４９を含み、該シリコンスチールユニット２４１は複数シリコンスチール片２４２、上絶縁フレーム２４７１及び下絶縁フレーム２４７２を備える。該複数のシリコンスチール片２４２は該上絶縁フレーム２４７１と下絶縁フレーム２４７２の間に設置し、コイルユニット２４９は該上、下絶縁フレーム２４７１、２４７２上に巻着した複数のコイルを備えて固定子２４を構成する。
【００２８】
更に、該本実施の複数シリコンスチール片２４２の構造及び連結関係及びその効果は、およそ前述第一実施例の複数シリコンスチール片２４２と同じであるため、ここでは重複して説明しない。その両者の違いとして、前述の少なくとも一シリコンスチール片２４２の凸出部２４４は、軸心２３１のリング槽２３３を備えた方向に向かって伸び、且つその一側は該スリーブ２１１及びベアリング２１５上で押さえ、該ベアリング２１５に対して押圧力を生み出すことに拠って有効にベアリング２１５を固定し、更に有効に防塵效果を達成する。この他、前述第一、二、三、四凸出部２４４１、２４４２、２４４３、２４４４の自由端の円弧辺２４１１a、２４４２a、２４４３a、２４４４aが隣接するリング槽２３３を共同で囲むことに拠って、軸心２３１の回転が有効に安定する。
【００２９】
図６、７は、本考案のファンモータ２をファン３上で応用したもので、該ファン３は前述固定子２４、回転子２３及びフレーム体３１を含む。該フレーム体３１内には納置空間３１１を備え、前述基台２１は、該納置空間３１１の中央箇所に設置し、該納置空間３１１内部は該スリーブ２１１上で枢設する回転子２３を納置するのに用い、回転子２３を固定子２４と相対して相互に励起を感知して該納置空間３１１内で運転する。
【００３０】
本考案前述のファンモータ２の固定子２４の少なくとも一シリコンスチール片２４２上の凸出部２４４が直接スリーブ２１１内のベアリング２１５で押さえる構造設計によって，有効にベアリング２１５の固定及び防塵の効果を達成し、更に製造時のコストを下げ、工数を減らす効果を達成する。
【実施例３】
【００３１】
図８、９に示すのは、本考案の第三実施例の分解及び組立立体指示図である。該実施例の構造及び連結関係及びその効果は、およそ前述第二実施例と同じであるため、その部分については重複して説明しない。その両者が異なる点として、前述のスリーブ２１１の凸出部２４４に相対する一側には設置部３１３が凹設され、該設置部３１３内には掛合リング３３を設置する。該掛合リング３３は、該軸心２３１上に相対するリング槽２３３に嵌合し、且つ該凸出部２４４とベアリング２１５の間に位置する。また、該掛合リング３３一側は該シリコンスチール片２４２に相対する凸出部２４４を受けて発生する押圧力を押さえ、別一側によって対応するベアリング２１５を押さえて固定し、ベアリング２１５の固定及び防塵效果を達成し、且つ有効にコストを下げる。
【００３２】
上述は、本考案の良好な実行可能な実施例にすぎず、本考案の上述の方法、形状、構造、装置の変化を利用したものは、すべて本考案の請求範囲に含むこととする。
【符号の説明】
【００３３】
１        ファン
１０        フレーム体
１０１        納置空間
１１        回転子
１１１        軸心
１１１１        リング槽
１２        固定子
１３        基台
１３１        スリーブ
１３１１        軸孔
１３１３        凹槽
１５        ベアリング
１６        掛合リング
１７        固定部品
２        ファンモータ
２１        基台
２１１        スリーブ
２１３        軸孔
２１５        ベアリング
２３        回転子
２３１        軸心
２３３        リング槽
２４        固定子
２４１        シリコンスチールユニット
２４２        シリコンスチール片
２４３        第一開孔
２４４        凸出部
２４４１        第一凸出部
２４１１ａ      円弧辺
２４４２        第二凸出部
２４４２ａ      円弧辺
２４４３        第三凸出部
２４４３ａ      円弧辺
２４４４        第四凸出部
２４４４ａ      円弧辺
２４４５        第一空間
２４４６        第二空間
２４４７        第三空間
２４４８        第四空間
２４５        第二開孔
２４６        磁極
２４７１        上絶縁フレーム
２４７２        下絶縁フレーム
２４９        コイルユニット
３        ファン
３１        フレーム体
３１１        納置空間
３１３        設置部
３３        掛合リング
【図１】
0003176795.tif 000003
【図２】
0003176795.tif 000004
【図３】
0003176795.tif 000005
【図４】
0003176795.tif 000006
【図５】
0003176795.tif 000007
【図６】
0003176795.tif 000008
【図７】
0003176795.tif 000009
【図８】
0003176795.tif 000010
【図９】
0003176795.tif 000011